(57)【要約】【課題】フレネルレンズとレンチキュラーレンズとを一体化し、温度変化や湿度変化による膨張や収縮温度湿度による伸縮よって、周辺のシワや全面の浮きを発生させないようにすること、またフレンネルレンズ又はレンチキュラーレンズの何れか一方が、自立性の無いフィルム基材で構成されている自立性の無いシートである場合でも、従来の筐体やジグの変更を要すること無く安価で簡単に固定できるようにすること。【解決手段】フレネルレンズ２とレンチキュラーレンズ１とを重ねて構成されるスクリーンを、透過型リアクションスクリーンテレビの筐体枠に固定する方法であって、重ね合わされたフレネルレンズ２とレンチキュラーレンズ１の周辺に、片面粘着テープ６をコの字型に貼ることで、フレネルレンズ２とレンチキュラーレンズ１とをスクリーンとして一体化して固定し、スクリーンを筐体枠に加圧せずに固定することを特徴とするスクリーンの固定方法。【選択図】図３
2004094147.tif 000002
【特許請求の範囲】
【請求項１】
フレネルレンズとレンチキュラーレンズとを重ねて構成されるスクリーンを、透過型リアクションスクリーンテレビの筐体枠に固定する方法であって、
重ね合わされたフレネルレンズとレンチキュラーレンズの周辺に、片面粘着テープをコの字型に貼ることで、フレネルレンズとレンチキュラーレンズとをスクリーンとして一体化して固定し、
スクリーンを筐体枠に加圧せずに固定することを特徴とするスクリーンの固定方法。
【請求項２】
前記フレネルレンズ又はレンチキュラーレンズの何れか一方が、自立性の無いフィルム基材で構成されており、もう一方が自立性のあるプラスチック基板で構成されていることを特徴とする請求項１に記載のスクリーンの固定方法。
【請求項３】
前記片面粘着テープの支持体の伸び率が、２００％以上であることを特徴とする請求項１又は２に記載のスクリーンの固定方法。
【請求項４】
前記片面粘着テープの粘着剤は、アクリル系、シリコーン系、合成ゴム系の何れかであることを特徴とする請求項１〜３の何れか１項に記載のスクリーンの固定方法。
【請求項５】
フレネルレンズとレンチキュラーレンズとを重ねて構成されるスクリーンを備える透過型リアクションスクリーンテレビであって、
重ね合わされたフレネルレンズとレンチキュラーレンズの周辺に、片面粘着テープがコの字型に貼られていることで、フレネルレンズとレンチキュラーレンズとがスクリーンとして一体化されて固定され、
スクリーンが前記テレビの筐体枠に加圧せずに固定されていることを特徴とする透過型リアクションスクリーンテレビ。
【請求項６】
前記フレネルレンズ又はレンチキュラーレンズの何れか一方が、自立性の無いフィルム基材で構成されており、もう一方が自立性のあるプラスチック基板で構成されていることを特徴とする請求項５に記載の透過型リアクションスクリーンテレビ。
【請求項７】
前記片面粘着テープの支持体の伸び率が、２００％以上であることを特徴とする請求項５又は６に記載の透過型リアクションスクリーンテレビ。
【請求項８】
片面粘着テープの粘着剤は、アクリル系、シリコーン系、合成ゴム系の何れかであることを特徴とする請求項５〜７の何れか１項に記載の透過型リアクションスクリーンテレビ。
【請求項９】
フレネルレンズとレンチキュラーレンズとを重ねて構成され、透過型リアクションスクリーンテレビに用いられるスクリーンであって、
重ね合わされたフレネルレンズとレンチキュラーレンズの周辺に、片面粘着テープがコの字型に貼られていることで、フレネルレンズとレンチキュラーレンズとがスクリーンとして一体化されて固定され、
前記テレビの筐体枠に加圧せずに固定されることを特徴とするスクリーン。
【請求項１０】
前記フレネルレンズ又はレンチキュラーレンズの何れか一方が、自立性の無いフィルム基材で構成されており、もう一方が自立性のあるプラスチック基板で構成されていることを特徴とする請求項９に記載のスクリーン。
【請求項１１】
前記片面粘着テープの支持体の伸び率が、２００％以上であることを特徴とする請求項９又は１０に記載のスクリーン。
【請求項１２】
片面粘着テープの粘着剤は、アクリル系、シリコーン系、合成ゴム系の何れかであることを特徴とする請求項９〜１１の何れか１項に記載のスクリーン。
【発明の詳細な説明】
【０００１】
【発明の属する技術分野】
本発明は、フレネルレンズとレンチキュラーレンズを重ねた構成となるスクリーンを備える透過型リアプロジェクションスクリーンテレビに用いられ、特に一方が自立性の無いフィルム基材で構成されている場合に、従来使用されている筐体、固定ジグの変更を要せず安価で、更にフレネルレンズとレンチキュラーレンズを重ねて一体としても納入できることを考えたスクリーンと、そのスクリーンの固定方法と、そのスクリーンを備えた透過型リアプロジェクションスクリーンテレビとに関する。
【０００２】
【従来の技術】
従来、透過型リアプロジェクションスクリーンテレビでは、フレネルレンズシートもレンチキュラーレンズシートも自立性のある厚みで作られているため、筐体内側凹部に重ね合わせて挿入して、別部材のジグで固定されている。ここで、自立性があるとは、形状を保持したまま起こすことが可能なほどの剛性を有していることを云う。図１は一般的な従来固定方法例を示すもので、レンチキュラーレンズ１、フレネルレンズ２を筐体３の凹部（筐体枠）に置き、ジグ４、ねじ５で固定する。この方法は、前記フレネルレンズシートやレンチキュラーレンズシートの材質や筐体の材質との関係もあるが、フレネルレンズシートもレンチキュラーレンズシートもそれらの材質の熱膨張係数の大きな違いが無く、厚みが同じ程度であれば、フレネルレンズシートとレンチキュラーレンズシートとを重ね合わせて、片面粘着テープで固定した後、筐体へ固定しても、温度変化や湿度変化によりフレネルレンズシートとレンチキュラーレンズシートとの間の浮き、反りなど問題が生じても、常温環境下に放置して置くと元の状態に戻る組み合わせであった。また、実際に透過型リアプロジェクションスクリーンテレビにて、自立性のないフィルム基材を使用している、フレネルレンズシートもレンチキュラーレンズシートも実用されて無いのが現状である。
【０００３】
フレネルレンズとレンチキュラーレンズシートの一体化としての１例として両面粘着テープを用いる手法が、実用新案第２５０６１５６号登録公報で提案されている。
【０００４】
【発明が解決しようとする課題】
しかしながら、実用新案第２５０６１５６号登録公報の提案のように、フレネルレンズとレンチキュラーレンズシートとの凹凸レンズ面同士を、両面粘着テープで接着させるには、かなり強力な両面粘着テープを使用することを要するが、そのレンズが紫外線硬化樹脂の場合は、更に両面粘着テープの接着力が弱くなり、実用上充分とは言えない。
【０００５】
また、温度変化や湿度変化による膨張や収縮で、フレネルレンズもレンチキュラーレンズシートも、それらの間に浮きが生じ、またそれらの周辺にシワが生じ、フォーカスのボケや色ずれが生じることになり画像劣化を招くことになる。
【０００６】
本発明は係る従来技術の欠点に鑑みてなされたもので、フレネルレンズとレンチキュラーレンズとを一体化し、温度変化や湿度変化による膨張や収縮温度湿度による伸縮よって、周辺のシワや全面の浮きを発生させないようにすることを課題とする。
【０００７】
また、本発明は、フレンネルレンズ又はレンチキュラーレンズの何れか一方が、自立性の無いフィルム基材で構成されている自立性の無いシートである場合でも、従来の筐体やジグの変更を要すること無く安価で簡単に固定できるようにすることも課題とする。
【０００８】
【課題を解決するための手段】
本発明において上記の課題を達成するために、まず請求項１の発明では、フレネルレンズとレンチキュラーレンズとを重ねて構成されるスクリーンを、透過型リアクションスクリーンテレビの筐体枠に固定する方法であって、
重ね合わされたフレネルレンズとレンチキュラーレンズの周辺に、片面粘着テープをコの字型に貼ることで、フレネルレンズとレンチキュラーレンズとをスクリーンとして一体化して固定し、
スクリーンを筐体枠に加圧せずに固定することを特徴とするスクリーンの固定方法としたものである。
【０００９】
また請求項２の発明では、前記フレネルレンズ又はレンチキュラーレンズの何れか一方が、自立性の無いフィルム基材で構成されており、もう一方が自立性のあるプラスチック基板で構成されていることを特徴とする請求項１に記載のスクリーンの固定方法としたものである。
【００１０】
また請求項３の発明では、前記片面粘着テープの支持体の伸び率が、２００％以上であることを特徴とする請求項１又は２に記載のスクリーンの固定方法としたものである。
【００１１】
また請求項４の発明では、前記片面粘着テープの粘着剤は、アクリル系、シリコーン系、合成ゴム系の何れかであることを特徴とする請求項１〜３の何れか１項に記載のスクリーンの固定方法としたものである。
【００１２】
また請求項５の発明では、フレネルレンズとレンチキュラーレンズとを重ねて構成されるスクリーンを備える透過型リアクションスクリーンテレビであって、重ね合わされたフレネルレンズとレンチキュラーレンズの周辺に、片面粘着テープがコの字型に貼られていることで、フレネルレンズとレンチキュラーレンズとがスクリーンとして一体化されて固定され、
スクリーンが前記テレビの筐体枠に加圧せずに固定されていることを特徴とする透過型リアクションスクリーンテレビとしたものである。
【００１３】
また請求項６の発明では、前記フレネルレンズ又はレンチキュラーレンズの何れか一方が、自立性の無いフィルム基材で構成されており、もう一方が自立性のあるプラスチック基板で構成されていることを特徴とする請求項５に記載の透過型リアクションスクリーンテレビとしたものである。
【００１４】
また請求項７の発明では、前記片面粘着テープの支持体の伸び率が、２００％以上であることを特徴とする請求項５又は６に記載の透過型リアクションスクリーンテレビとしたものである。
【００１５】
また請求項８の発明では、片面粘着テープの粘着剤は、アクリル系、シリコーン系、合成ゴム系の何れかであることを特徴とする請求項５〜７の何れか１項に記載の透過型リアクションスクリーンテレビとしたものである。
【００１６】
また請求項９の発明では、フレネルレンズとレンチキュラーレンズとを重ねて構成され、透過型リアクションスクリーンテレビに用いられるスクリーンであって、
重ね合わされたフレネルレンズとレンチキュラーレンズの周辺に、片面粘着テープがコの字型に貼られていることで、フレネルレンズとレンチキュラーレンズとがスクリーンとして一体化されて固定され、
前記テレビの筐体枠に加圧せずに固定されることを特徴とするスクリーンとしたものである。
【００１７】
また請求項１０の発明では、前記フレネルレンズ又はレンチキュラーレンズの何れか一方が、自立性の無いフィルム基材で構成されており、もう一方が自立性のあるプラスチック基板で構成されていることを特徴とする請求項９に記載のスクリーンとしたものである。
【００１８】
また請求項１１の発明では、前記片面粘着テープの支持体の伸び率が、２００％以上であることを特徴とする請求項９又は１０に記載のスクリーンとしたものである。
【００１９】
なた請求項１２の発明では、片面粘着テープの粘着剤は、アクリル系、シリコーン系、合成ゴム系の何れかであることを特徴とする請求項９〜１１の何れか１項に記載のスクリーンとしたものである。
【００２０】
【発明の実施の形態】
以下、本発明の実施の態様について図面に基づいて詳細に説明する。
【００２１】
図２の（ａ）は、レンチキュラーレンズ１とフレネルレンズ２とを重ねた構成となる透過型リアプロジェクションスクリーンを、観察者側正面（レンチキュラーレンズ１）側から見た図である。また図２の（ｂ）は、透過型リアプロジェクションスクリーンのＡ−Ａ’の断面図を示し、片面粘着テープ６が天地辺にコの字型に貼られていることにより、レンチキュラーレンズ１とフレネルレンズ２とが一体化されて固定されていることが分かる。
【００２２】
本発明で使用されるフィルム基材は、ポリエチレンテレフタレート、ポリカーボネート等のフィルム基材が挙げられるが、特に限定されるものではない。フィルム基材は、支持体と呼ばれることもある。
【００２３】
また、自立性のある基板としては、厚みにもよるがアクリル系板、ポリスチレン系板、ポリカーボネート基材が挙げられるが、特に限定されるものではない。
【００２４】
また、片面粘着テープの粘着剤は、天然ゴム等では接着力が弱いので、アクリル系、シリコーン系、合成ゴム系が望ましい。
【００２５】
【実施例】
以下に、実施例と比較例とを具体的に説明する。
＜実施例１＞
レンチキュラーレンズ（支持体のＰＥＴフィルムの厚み１８８μ）とフレネルレンズ（基板のアクリル板の厚み２．０ｍｍ）とを、図２に示すように、伸び率３００％のポリオレフィン系支持体を有する片面粘着テープを、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００２６】
＜実施例２＞
レンチキュラーレンズ（支持体のＰＥＴフィルムの厚み１８８μ）とフレネルレンズ（基板のアクリル板の厚み２．０ｍｍ）とを、図２に示すように、伸び率２００％の軟質塩化ビニール系支持体を有する片面粘着テープを、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００２７】
＜比較例１＞
レンチキュラーレンズ（支持体のＰＥＴフィルムの厚み１８８μ）とフレネルレンズ（基板のアクリル板の厚み２．０ｍｍ）とを、図２に示すように、伸び率１６０％のポリプロピレン系支持体を有する片面粘着テープで天地辺を、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００２８】
＜比較例２＞
レンチキュラーレンズ（支持体のＰＥＴフィルムの厚み１８８μ）とフレネルレンズ（基板のアクリル板の厚み２．０ｍｍ）とを、図２に示すように、伸び率１５０％のフッ素系支持体を有する片面粘着テープを、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００２９】
＜比較例３＞
レンチキュラーレンズ（支持体のＰＥＴフィルムの厚み１８８μ）とフレネルレンズ（基板のアクリル板の厚み２．０ｍｍ）とを、図２に示すように、伸び率１００％のポリエチレン系支持体を有する片面粘着テープを、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００３０】
＜比較例４＞
レンチキュラーレンズ（支持体のＰＥＴフィルムの厚み１８８μ）とフレネルレンズ（基板のアクリル板の厚み２．０ｍｍ）とを、図２に示すように、伸び率２０％のアセテート系支持体を有する片面粘着テープを、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００３１】
＜比較例５＞
レンチキュラーレンズ（支持体のＰＥＴフィルムの厚み１８８μ）とフレネルレンズ（基板のアクリル板の厚み２．０ｍｍ）とを、図２に示すように、伸び率３％の紙支持体を有する片面粘着テープを、天地辺にコの字型に貼ることにより、一体化して固定し、更に図３に示すように、テレビ筐体枠に挿入し、加圧せずに、テレビの筐体との間に０．５ｍｍの隙間を持って、固定した。
【００３２】
上記の実施例１〜２及び比較例１〜５に係わるフレネルレンズとレンチキュラーレンズとの組み合わせて作成された透過型リアプロジェクトスクリーンの評価結果を下記表１に示す。
これは、２３℃環境下で、フレネルレンズとレンチキュラーレンズとを、片面粘着テープを天地辺をコの字型に貼ることにより一体化した後、筐体枠に挿入して、６０℃環境下に１時間放置し、２３℃環境下に２４時間放置してから外観検査をした結果である。
【００３３】
【表１】
2004094147.tif 000003
【００３４】
上記表１より明らかなように、実施例１〜２に係わる片面粘着テープの支持体伸びは、透過型液晶プロジェクションスクリーンにおいて、フィルム基材で構成されるレンズの固定に良好であることが確認された。
【００３５】
【発明の効果】
本発明は、片面粘着テープの使用により、フレネルレンズとレンチキュラーレンズとを一体化し、温度変化や湿度変化による膨張や収縮温度湿度による伸縮よって、周辺のシワや全面の浮きを発生させないようにすることが可能である。
【００３６】
また本発明は、フレネルレンズ又はレンチキュラーレンズのどちらか一方が自立性のないフィルム基材で構成されている自立性の無いシートの場合でも、従来の筐体やジグを変更しないで、片面粘着テープの使用と筐体枠の加圧無しにより、安価で簡単に固定する方法を提供することができる。
【図面の簡単な説明】
【図１】一般的な従来保持方法断面図。
【図２】フレネルレンズシートとレンチキュラーレンズシートとを片面粘着テープで止めた正面図と断面図。
【図３】本発明の保持方法断面図
【符号の説明】
１…レンチキュラーレンズ
２…フレネルレンズ
３…筐体
４…ジグ
５…ねじ
６…片面粘着テープ
【図１】
2004094147.tif 000004
【図２】
2004094147.tif 000005
【図３】
2004094147.tif 000006